(57)【要約】【課題】電気的絶縁性に優れ、安定した使用が可能な絶縁ボルト構造および絶縁ボルト構造を用いた配管連結構造を提供する。【解決手段】絶縁ボルト構造Ａは、ボルト本体１０と、フッ素樹脂からなるスリーブ部材２０と、ＦＲＰからなる絶縁性リング部材３１と、座金部材３２とを備えている。スリーブ部材２０は、外径が絶縁性リング部材３１の内径よりも大きい大径部２１と、外径が絶縁性リング部材３１の内径よりも小さい小径部２２とを備え、熱収縮により、軸部１２の軸方向に移動しないように堅く取りつけられている。絶縁性リング部材３１および座金部材３２は、スリーブ部材２０の小径部２２と遊嵌合した状態で取りつけられている。スリーブ部材２０の大径部２１の側端と絶縁性リング部材３１との間には、応力を逃すための隙間（Ｓｐ）が存在している。【選択図】  図１
0003155761.tif 000002
【実用新案登録請求の範囲】
【請求項１】
２つの被連結部材を電気的に絶縁しつつ連結するための絶縁ボルト構造であって、
少なくとも一部に雄ねじ部が形成された軸部および頭部を有するボルト本体と、
上記軸部の少なくとも一部に熱収縮処理により取りつけられたフッ素樹脂からなるスリーブ部材と、
内径部が上記ボルト本体の軸部に貫通された絶縁性リング部材とを備え、
上記スリーブ部材は、外径が上記絶縁性リング部材の内径よりも大きい大径部を少なくとも有しており、
上記絶縁性リング部材は、上記ボルト本体の頭部と上記スリーブ部材の大径部の一端部との間で、所定の隙間をもって挟まれている、絶縁ボルト構造。
【請求項２】
請求項１記載の絶縁ボルト構造において、
上記絶縁性リング部材は、上記スリーブ部材を構成するフッ素樹脂よりも高強度の繊維強化樹脂により構成されている、絶縁ボルト構造。
【請求項３】
請求項１または２記載の絶縁ボルト構造において、
上記スリーブ部材は、外径が上記絶縁性リング部材の内径よりも小さく、上記大径部の一端部から上記絶縁性リング部材の内周部まで延びる，小径部をさらに有している、絶縁ボルト構造。
【請求項４】
請求項１〜３のうちいずれか１つに記載の絶縁ボルト構造において、
上記スリーブ部材は、ポリビニリデンフルオライド樹脂によって構成されている、絶縁ボルト構造。
【請求項５】
請求項１〜４のうちいずれか１つに記載の絶縁ボルト構造において、
上記ボルト本体の軸部を貫通して、頭部と上記絶縁性リング部材との間に介在する座金部材をさらに備えている、絶縁ボルト構造ユニット。
【請求項６】
請求項１〜５のうちいずれか１つに記載の絶縁ボルト構造において、
上記ボルト本体の軸部の先端側に取りつけられたもう１つの絶縁性リング部材と、
上記もう１つの絶縁性リング部材よりも先端側に取りつけられ、上記ボルト部材の雄ねじ部に係合するナット部材と、
をさらに備えている絶縁ボルト構造ユニット。
【請求項７】
請求項６記載の絶縁ボルト構造において、
上記ナット部材と上記絶縁性リング部材との間に介在するもう１つの座金部材をさらに備えている、絶縁ボルト構造ユニット。
【請求項８】
請求項１〜７記載の絶縁ボルト構造と、
２つの被連結部材として、ガスケットを挟んで相対向する２つのフランジ付き配管とを備え、
上記２つのフランジ付き配管の各フランジ同士が、上記絶縁ボルト構造を用いて連結されている、配管連結構造。
【考案の詳細な説明】
【技術分野】
【０００１】
本考案は、２つの配管等を絶縁しつつ接続するための絶縁ボルト構造、およびこれを用いた配管連結構造に関する。
【背景技術】
【０００２】
従来より、特許文献１の図２（ａ），（ｂ）に開示されるように、２つの管体１０，２０を、ガスケット３１，７０を挟んで連結した配管連結構造が知られている。ガスケット３１，７０は、２つの管体１０，２０の機械的結合部においてクッション材として機能すると共に、発熱体を埋め込んだ絶縁材としても機能している。
【先行技術文献】
【特許文献】
【０００３】
【特許文献１】特開２００９−２５１７号公報
【考案の概要】
【考案が解決しようとする課題】
【０００４】
ところで、上記公報に開示される配管連結構造において、管体１０，２０間の絶縁性を図る必要がある場合もある。しかしながら、上記従来の公報の技術では、２つの管体１０，２０を連結しているボルトを介して、管体１０，２０同士が導通してしまう。ボルトをプラスチック製とすれば、導通は避けられるが、強度が弱く，長期の使用で破壊するおそれもあるため、信頼性の低下を招くという不具合がある。
【０００５】
本考案の目的は、２つの部材同士を連結するに際し、電気的絶縁性に優れ、安定した使用が可能な絶縁ボルト構造、およびこれを用いた配管連結構造を提供することにある。
【課題を解決するための手段】
【０００６】
本考案の絶縁ボルト構造は、２つの被連結部材を連結するための絶縁ボルト構造であって、少なくとも一部に雄ねじ部が形成された軸部および頭部を有するボルト本体と、軸部に熱収縮処理により取りつけられたフッ素樹脂からなるスリーブ部材と、内径部がボルト本体の軸に貫通された絶縁性リング部材とを備えている。
ここで、スリーブ部材は、外径が絶縁性リング部材の内径よりも大きい大径部を少なくとも有しており、絶縁性リング部材は、ボルト本体の頭部とスリーブ部材の大径部の一端部との間で、所定の隙間をもって挟まれている。
【０００７】
ボルト本体の雄ねじ部は、軸部全体に形成されていてもよいが、一般的には、連結の際に用いられるナット部材と係合する部分だけでよい。そして、スリーブ部材は、雄ねじ部に跨っていてもよい。
スリーブ部材は、軸部の少なくとも一部に取りつけられていればよく、軸部全体に取りつけられている必要はない。
スリーブ部材を構成するフッ素樹脂には、ＰＴＦＥ（ポリテトラフルオロエチレン（４フッ化））樹脂，ＰＦＡ（テトラフルオロエチレン・パーフルオロアルキルビニルエーテル共重合体）樹脂，ＦＥＰ（テトラフルオロエチレン・ヘキサフルオロプロピレン共重合体(４．６フッ化)）樹脂，ＥＴＦＥ（テトラフルオロエチレン・エチレン共重合体）樹脂，ＰＶＤＦ（ポリビニリデンフルオライド(２フッ化)）樹脂，ＰＣＴＦＥ（ポリクロロトリフルオロエチレン(３フッ化)）樹脂，ＥＣＴＦＥ（クロロトリフルオエチレン・エチレン共重合体）樹脂等があり、いずれを用いてもよい。
【０００８】
この構造により、本考案では、以下の作用効果が得られる。
スリーブ部材は、熱収縮によりボルト本体の軸部に取りつけられているので、ボルト本体の軸方向に固定されている。
一方、絶縁性リング部材の大径部の一端部とスリーブ部材との間には、所定の隙間が設けられているので、絶縁性リング部材とスリーブ部材との間に大きな応力が作用するのを防ぐことができ、絶縁性リング部材の破損を回避することができる。
よって、フッ素樹脂からなるスリーブ部材の高い耐摩耗性，絶縁性能と相俟って、ボルト本体と被連結部材とを確実に絶縁することができる。
【０００９】
上記絶縁性リング部材は、スリーブ部材を構成するフッ素樹脂よりも高強度の繊維強化樹脂により構成されていることが好ましい。ボルト本体の締め付け力によって、ボルト本体の頭部と被連結部材との間で、絶縁性リング部材に大きな応力が作用する。このとき、絶縁性リング部材が高強度の繊維強化樹脂で構成されていることで、スリーブ部材と絶縁性リングとがフッ素樹脂により一体化されたものに比べて、絶縁性リング部材の破壊をより確実に回避することができる。
繊維強化樹脂の強化材としては、ガラス繊維（ＧＦＲＰ），ガラス長繊維（ＧＭＴ），炭素繊維 （ＣＦＲＰ），強度の高いアラミド繊維繊維（ＡＦＲＰ）、ケブラー（ＫＦＲＰ）、ダイニーマ （ＤＦＲＰ），ザイロン（ＺＦＲＰ） などがあり、いずれを用いてもよい。
繊維強化樹脂のマトリックスとしては、一般に、不飽和ポリエステル等の熱硬化性樹脂を使用することが多い。エポキシ樹脂、ポリアミド樹脂、フェノール樹脂を使用する場合もある。メチルメタアクリレートなどの熱可塑性樹脂を用いた繊維強化熱可塑性プラスチックもあり、以上のいずれを用いてもよい。
【００１０】
スリーブ部材は、大径部だけを有していてもよいが、大径部の一端部から絶縁性リングの内周部まで延びる小径部をさらに有していることが好ましい。小径部は、外径が絶縁性リング部材の内径よりも小さく、ボルト本体の軸部と絶縁性リング部材との間に介在するので、隙間から水分や湿気が侵入した場合でも、確実に絶縁性を保つことができる。
【００１１】
スリーブ部材がポリビニリデンフルオライド樹脂（以下、略称「ＰＶＤＦ樹脂」用いる）によって構成されていることにより、スリーブ部材の高い機械的強度や耐剥離性が得られる。
【００１２】
ボルト本体の軸部の先端側に取りつけられたもう１つの絶縁性リング部材と、ナット部材とを備えていることが好ましい。この構造により、２つの絶縁性リング部材のあいだに２つの被連結部材を挟んで、ナット部材による締め付けを行って、各被連結部材とボルト本体との絶縁を確保することができる。
【００１３】
なお、一般的に、絶縁性リング部材と、ボルト本体の頭部またはナット部材との間に座金部材が介在している。座金部材が介在していることで、ボルト本体とナット部材とによって被連結部材を締め付けて連結する操作を円滑に行うことができる。
【００１４】
本考案の配管連結構造は、ガスケットを挟んで相対向する２つのフランジ付き配管（被連結部材）を備えており、２つのフランジ付き配管の各フランジ同士が、上記絶縁ボルト構造を用いて連結されているものである。
これにより、上述の作用により、２つのフランジ付き配管同士の絶縁を確保しつつ、両者を連結することができる。
【考案の効果】
【００１５】
本考案の絶縁ボルト構造ユニットおよび配管連結構造によると、配管等の被連結部材同士を確実に絶縁することができる。
【図面の簡単な説明】
【００１６】
【図１】本考案の実施形態に係る絶縁ボルト構造の縦断面図である。
【図２】本考案の実施形態の変形例に係る絶縁ボルト構造の縦断面図である。
【図３】本考案の実施形態に係る絶縁ボルト構造を用いた配管連結構造の概略構造を示す縦断面図である。
【図４】本考案の実施形態に係る絶縁ボルト構造を用いた配管連結構造の細部を示す縦断面図である。
【図５】（ａ）〜（ｄ）は、本考案の実施形態に係る絶縁ボルト構造の製造工程を示す縦断面図である。
【考案を実施するための形態】
【００１７】
図１は、本考案の実施の形態に係る絶縁ボルト構造Ａの縦断面図である。絶縁ボルト構造Ａは、主要部材として、ボルト本体１０と、スリーブ部材２０と、絶縁性リング部材３１と、座金部材３２とを備えている。
【００１８】
ボルト本体１０は、頭部１１と軸部１２とを有している。軸部１２のうちナット部材と係合する部分には、雄ねじが形成されてる。ただし、軸部１２のうち頭部１１の付け根付近まで雄ねじが形成されていてもよい。
【００１９】
一方、スリーブ部材２０は、外径が絶縁性リング部材３１の内径よりも大きい大径部２１と、外径が絶縁性リング部材３１の内径よりも小さい小径部２２とを備えている。すなわち、スリーブ部材２０は、いわゆる段付き形状を有している。そして、後述するように、スリーブ部材２０は、熱収縮により、軸部１２の軸方向に移動しないように堅く取りつけられている。
そして、絶縁性リング部材３１および座金部材３２は、スリーブ部材２０の小径部２２と遊嵌合した状態で取りつけられている。
図１に示す構造では、スリーブ部材２１は、軸部１２の約半分程度を覆う構造となっているが、軸部１２のほぼ全体を覆っていてもよい。
【００２０】
そして、図１右上の部分拡大図に示すように、スリーブ部材２０の大径部２１の側端と絶縁性リング部材３１との間には、所定の隙間（Ｓｐ）が存在している。隙間Ｓｐの寸法は、絶縁ボルト構造Ａが用いられる被連結部材の寸法や種類によって異なるが、０．０５〜０．２ｍｍ程度である。。
【００２１】
スリーブ部材２０は、段付き形状でなく、大径部２１だけを有する構造であってもよい。図２は、本実施の形態の変形例に係る絶縁ボルト構造Ａの縦断面図である。
同図に示すように、この変形例では、絶縁性リング部材３１および座金部材３２は、ボルト本体１０の軸部１２と遊嵌合した状態で取りつけられている。
【００２２】
本実施の形態の絶縁ボルト構造Ａを用いて、被連結部材を連結するに際しては、一般的にはナット部材が用いられるが、必ずしもナット部材は必要でない。被連結部材の一部に雌ねじが形成されていれば、ボルト本体１０の軸部１２の雄ねじと係合させて、締め付けにより２つの被連結部材同士を連結することが可能である。
【００２３】
図３は、本実施の形態または変形例の絶縁ボルト構造Ａを用いた配管連結構造Ｂの例を示す縦断面図である。図４は、配管連結構造Ａの細部詳細を示す縦断面図である。
図３，図４に示すように、第１配管５０の第１フランジ５１と、第２配管６０の第２フランジ６１とが、芯体６３ａを有するガスケット６３を挟んで連結されている。そして、第１フランジ５１の連結用穴５１ａと、第２フランジの連結用穴６１ａとをボルト本体１０が貫通した状態で、絶縁ボルト構造Ａが介在している。
ガスケット６３の芯体６３ａを除く部分は、たとえばフッ素樹脂からなる。また、芯体のないフッ素樹脂だけのガスケットであってもよい。さらに、ガスケット６３の外径がフランジ５１，６１と同程度まで延びていて、ガスケットにボルト本体１０が貫通する貫通穴が設けられていてもよい。
【００２４】
この構造では、第１フランジ５１とボルト本体１０の頭部１１との間に、絶縁性リング部材３１と座金部材３２とが介在している。
また、ボルト本体１０の軸部１２のネジ部に係合するナット部材３３が設けられている。そして、ナット部材３３と第２フランジ６１との間にも、絶縁性リング部材３１と座金部材３２とが介在している。
【００２５】
本実施の形態が適用される配管（被支持部材）５０，６０の径は、数１０ｍｍ〜数１００ｍｍである。そして、ボルト本体１０の軸部１２の径は、数ｍｍ〜数１０ｍｍ程度である。
【００２６】
スリーブ部材２０を構成するフッ素樹脂には、ＰＴＦＥ（ポリテトラフルオロエチレン（４フッ化））樹脂，ＰＦＡ（テトラフルオロエチレン・パーフルオロアルキルビニルエーテル共重合体）樹脂，ＦＥＰ（テトラフルオロエチレン・ヘキサフルオロプロピレン共重合体(４．６フッ化)）樹脂，ＥＴＦＥ（テトラフルオロエチレン・エチレン共重合体）樹脂，ＰＶＤＦ（ポリビニリデンフルオライド(２フッ化)）樹脂，ＰＣＴＦＥ（ポリクロロトリフルオロエチレン(３フッ化)）樹脂，ＥＣＴＦＥ（クロロトリフルオエチレン・エチレン共重合体）樹脂等があり、いずれを用いてもよい。
本実施の形態では、スリーブ部材２０は、ＰＶＤＦ（ポリビニリデンフルオライド）樹脂の一種であるＫＦポリマーＣ１０００（呉羽工業社製）によって構成されている。
【００２７】
絶縁性リング部材３１を構成する繊維強化樹脂の強化材としては、ガラス繊維（ＧＦＲＰ），ガラス長繊維（ＧＭＴ），炭素繊維 （ＣＦＲＰ），強度の高いアラミド繊維繊維（ＡＦＲＰ）、ケブラー（ＫＦＲＰ）、ダイニーマ （ＤＦＲＰ），ザイロン（ＺＦＲＰ） などがあり、いずれを用いてもよい。
繊維強化樹脂のマトリックスとしては、一般に、不飽和ポリエステル等の熱硬化性樹脂を使用することが多い。エポキシ樹脂、ポリアミド樹脂、フェノール樹脂を使用する場合もある。メチルメタアクリレートなどの熱可塑性樹脂を用いた繊維強化熱可塑性プラスチックもあり、以上のいずれを用いてもよい。
本実施の形態では、これらの材料から、曲げ強さが３１０（Ｎ／ｍｍ２）以上の繊維強化樹脂を選んで用いている。
【００２８】
図５（ａ）〜（ｄ）は、絶縁性ボルト構造Ａの製造工程の一例を示す断面図である。
まず、図５（ａ）に示す工程で、離型が容易なように特殊コーティングされた丸棒に、フッ素樹脂（本実施の形態では、ポリビニリデンフルオライド樹脂（ＰＶＤＦ））をライニングして、フッ素樹脂管２０ｘを形成する。
このとき、丸棒の径は、ボルト本体１０の軸部１２の径よりも大きめにしておく。
【００２９】
次に、図５（ｂ）に示す工程で、丸棒からフッ素樹脂管２０ｘを外して、機械加工により、大径部２１および小径部２２からなる段付きのスリーブ部材２０を形成する。この段階では、スリーブ部材２０の内径は、ボルト本体１０の軸部１２の径よりもやや大きめである。
【００３０】
次に、図５（ｃ）に示す工程で、スリーブ部材２０の小径部２２に、内周を加工済みの絶縁性リング部材３１と座金部材３２とを順次取りつける。この段階では、小径部２２と、絶縁性リング部材３１および座金部材３２とは、強嵌合していてもよい。なお、座金部材３２の内径も加工するのが普通であるが、規格品をそのまま用いてもよい。
【００３１】
次に、図５（ｄ）に示す工程で、絶縁性リング部材３１と座金部材３２とが取りつけられたスリーブ部材２０をボルト本体２０の軸部１２に挿通させて、頭部１１の側端部と座金部材３２とがほぼ接触する位置にスリーブ部材２０を装着する。そして、この状態で、図５（ｄ）に示す結合体を乾燥機に入れ、加熱により、ＰＶＤＦからなるスリーブ部材２０を熱収縮させる。
これにより、スリーブ部材２０が収縮してボルト本体２０の軸部１２を締め付けた状態で、軸部１２に取りつけられる。
【００３２】
以上により、絶縁性ボルト構造Ａが形成される。この絶縁ボルト構造Ａにおいては、スリーブ部材２０が収縮しているので、小径部２２の外径も小さくなる。したがって、小径部２２と絶縁性リング部材３１および座金部材３２とが、図５（ｃ）に示す状態で強嵌合状態であっても、図５（ｄ）に示す仕上がり状態では遊嵌合状態となる。また、図５（ｃ）に示す状態で、絶縁性リング部材３１とスリーブ部材２１の大径部２１の端部との間に隙間がなくても、図５（ｄ）に示す仕上がり状態では、隙間Ｓｐができる（図１の右上図参照）。
なお、上記工程はあくまで一例であり、本考案の絶縁ボルト構造を形成する手順は、これに限定されるものではない。
【００３３】
本実施の形態によると、以下の作用効果を発揮することができる。
図４に示す構造からわかるように、ボルト本体１０の軸部１２に、絶縁性のフッ素樹脂からなるスリーブ部材２０が取りつけられていることで、ボルト本体１０の軸部１２と第１フランジ５１とが電気的に絶縁されている。なお、図４に示される構造では、ボルト本体１０の軸部１２と各フランジ５１，６１とは接触していないが、使用中には、いろいろな力が作用するので、ボルト本体１０の位置が各フランジ５１，６１の連結用穴５１ａ，６１ａ内で移動することがしばしばある。したがって、ボルト本体１０の軸部１２と各フランジ５１，６１とが容易に導通してしまう。そこで、この部分に摩擦係数が小さく、絶縁性能が高いフッ素樹脂からなるスリーブ部材２０を取りつけることで、長期間の絶縁性を確保することができる。
また、第１フランジ５１とボルト本体１０の頭部１１との間に絶縁性リング部材３１が介在していることで、ボルト本体１０の頭部１１と第１フランジ５１とが電気的に絶縁されている。
【００３４】
すなわち、スリーブ部材２０と絶縁性リング部材３１とにより、ボルト本体１０と第１フランジ５１とが電気的に絶縁されている。よって、ガスケット６３を挟んで第１配管５０と第２配管６０とを連結すると、第１配管５０の第１フランジ５１と、第２配管６０の第２フランジ６１とが確実に絶縁される。この作用効果は、ナット部材３３が第２フランジ６１と電気的に絶縁されていなくても得られる。つまり、図１または図２に示す絶縁ボルト構造Ａがあれば、市販のナット部材（および必要に応じて座金部材）を用いて、２つの被連結部材（この例では、第１配管５１および第２配管６１）を電気的に絶縁しつつ、連結することができる。
【００３５】
同様に、スリーブ部材２０を第２フランジ６１側まで延ばして、ナット部材３３と第２フランジ６１との間にも、絶縁性リング部材３１を介在させておくことで、ナット部材３３およびボルト本体１０と、第２フランジ６１とが電気的に絶縁される。両側に絶縁性リング３１を介在させることで、何らかの原因で一方のフランジ（５１または６１）とボルト本体１０とが導通しても、第１フランジ５１と第２フランジ６１とが導通する確率を半減することができる。
【００３６】
ところで、スリーブ部材２０と絶縁性リング部材３１とを一体化した構造も考えられる。しかしながら、本考案者達の実験によると、その場合には、各フランジ５１，６１間に作用する力によって、一体化構造のうち絶縁性リング部材３１に相当するフランジ部分が破壊したり、亀裂が生じやすい。そして、水分が侵入して絶縁性が保たれなくなることがあった。
【００３７】
それに対し、本実施の形態では、スリーブ部材２０と絶縁性リング部材３１とを別部材とし、スリーブ部材２０を熱収縮によってボルト本体１０の軸部１２に取りつけて、スリーブ部材２０を軸方向に移動しないようにしている。これにより、ボルト本体１０の軸部１２と被連結部材（本実施の形態では第１フランジ５１）とを確実に絶縁しつつ、絶縁性リング部材３１によってボルト本体１０の頭部１１と被連結部材とが確実に絶縁されるのである。
そして、スリーブ部材２０の大径部２１の側端と絶縁性リング部材３１との間に所定の隙間Ｓｐを設けることで、絶縁性リング部材３１とスリーブ部材３１との間に大きな応力が作用するのを防いでいる。
【００３８】
また、スリーブ部材２０と絶縁性リング部材３１とを別部材とすることにより、絶縁性リング部材をフッ素樹脂よりも高強度の材料によって絶縁性リング部材３１を構成することが可能となる。本実施の形態では、絶縁性リング部材３１の構成材料としてＦＲＰを用いることで、絶縁性リング部材３１に大きな応力が作用した時にも、その破壊を防止する用にしている。
【００３９】
なお、図２に示す変形例の構造でも、上記基本的な作用効果を発揮することができる。ただし、図１に示すように、絶縁性リング３１とボルト本体１０の軸部１２との間に、スリーブ部材２０の小径部２１が介在する構造とすることで、水分等の隙間への浸透に起因する絶縁性の悪化を確実に防止することができる。
【００４０】
上記実施の形態において、座金部材３２は必ずしも必要でないが、座金部材３２を備えることにより、ボルト本体１０とナット部材３３とを締め付ける際に、ボルト本体１０の頭部１１やナット部材３３との間で円滑な滑りを確保し、かつ、締め付けによる応力が絶縁性リング部材３１に均一に加わるようにすることができる。
【００４１】
（他の実施の形態）
上記開示された本考案の実施の形態の構造は、あくまで例示であって、本考案の範囲はこれらの記載の範囲に限定されるものではない。本考案の範囲は、実用新案登録請求の範囲の記載によって示される範囲を含み、さらに、実用新案登録請求の範囲の記載と均等の意味及び範囲内でのすべての変更を含む。
【産業上の利用可能性】
【００４２】
本考案の絶縁ボルト構造ユニットは、船舶，プラント，パイプライン，各種構造物において、配管等の連結部材として利用することができる。
【符号の説明】
【００４３】
Ａ    絶縁ボルト構造ユニット
１０  ボルト本体
１１  頭部
１２  軸部
２０  スリーブ部材
２１  大径部
２２  小径部
３１  絶縁性リング部材
３２  座金部材
３３  ナット部材
５０  第１配管
５１  第１フランジ
５１ａ  連結用穴
６０  第２配管
６１  第２フランジ
６１ａ  連結用穴
【図１】
0003155761.tif 000003
【図２】
0003155761.tif 000004
【図３】
0003155761.tif 000005
【図４】
0003155761.tif 000006
【図５】
0003155761.tif 000007
【手続補正書】
【提出日】平成21年9月30日(2009.9.30)
【手続補正１】
【補正対象書類名】明細書
【補正対象項目名】０００９
【補正方法】変更
【補正の内容】
【０００９】
上記絶縁性リング部材は、スリーブ部材を構成するフッ素樹脂よりも高強度の繊維強化樹脂により構成されていることが好ましい。ボルト本体の締め付け力によって、ボルト本体の頭部と被連結部材との間で、絶縁性リング部材に大きな応力が作用する。このとき、絶縁性リング部材が高強度の繊維強化樹脂で構成されていることで、スリーブ部材と絶縁性リングとがフッ素樹脂により一体化されたものに比べて、絶縁性リング部材の破壊をより確実に回避することができる。
繊維強化樹脂の強化材としては、ガラス繊維（ＧＦＲＰ），ガラス長繊維（ＧＭＴ），炭素繊維 （ＣＦＲＰ），強度の高いアラミド繊維繊維（ＡＦＲＰ）、ケブラー（ＫＦＲＰ）（登録商標）、ダイニーマ （ＤＦＲＰ）（登録商標），ザイロン（ＺＦＲＰ）（登録商標） などがあり、いずれを用いてもよい。
繊維強化樹脂のマトリックスとしては、一般に、不飽和ポリエステル等の熱硬化性樹脂を使用することが多い。エポキシ樹脂、ポリアミド樹脂、フェノール樹脂を使用する場合もある。メチルメタアクリレートなどの熱可塑性樹脂を用いた繊維強化熱可塑性プラスチックもあり、以上のいずれを用いてもよい。
【手続補正２】
【補正対象書類名】明細書
【補正対象項目名】００２７
【補正方法】変更
【補正の内容】
【００２７】
絶縁性リング部材３１を構成する繊維強化樹脂の強化材としては、ガラス繊維（ＧＦＲＰ），ガラス長繊維（ＧＭＴ），炭素繊維 （ＣＦＲＰ），強度の高いアラミド繊維繊維（ＡＦＲＰ）、ケブラー（ＫＦＲＰ）（登録商標）、ダイニーマ （ＤＦＲＰ）（登録商標），ザイロン（ＺＦＲＰ）（登録商標） などがあり、いずれを用いてもよい。
繊維強化樹脂のマトリックスとしては、一般に、不飽和ポリエステル等の熱硬化性樹脂を使用することが多い。エポキシ樹脂、ポリアミド樹脂、フェノール樹脂を使用する場合もある。メチルメタアクリレートなどの熱可塑性樹脂を用いた繊維強化熱可塑性プラスチックもあり、以上のいずれを用いてもよい。
本実施の形態では、これらの材料から、曲げ強さが３１０（Ｎ／ｍｍ２）以上の繊維強化樹脂を選んで用いている。
【手続補正３】
【補正対象書類名】実用新案登録請求の範囲
【補正対象項目名】全文
【補正方法】変更
【補正の内容】
【実用新案登録請求の範囲】
【請求項１】
２つの被連結部材を電気的に絶縁しつつ連結するための絶縁ボルト構造であって、
少なくとも一部に雄ねじ部が形成された軸部および頭部を有するボルト本体と、
上記軸部の少なくとも一部に熱収縮処理により取りつけられたフッ素樹脂からなるスリーブ部材と、
内径部が上記ボルト本体の軸部に貫通された絶縁性リング部材とを備え、
上記スリーブ部材は、外径が上記絶縁性リング部材の内径よりも大きい大径部を少なくとも有しており、
上記絶縁性リング部材は、上記ボルト本体の頭部と上記スリーブ部材の大径部の一端部との間で、所定の隙間をもって挟まれている、絶縁ボルト構造。
【請求項２】
請求項１記載の絶縁ボルト構造において、
上記絶縁性リング部材は、上記スリーブ部材を構成するフッ素樹脂よりも高強度の繊維強化樹脂により構成されている、絶縁ボルト構造。
【請求項３】
請求項１または２記載の絶縁ボルト構造において、
上記スリーブ部材は、外径が上記絶縁性リング部材の内径よりも小さく、上記大径部の一端部から上記絶縁性リング部材の内周部まで延びる，小径部をさらに有している、絶縁ボルト構造。
【請求項４】
請求項１〜３のうちいずれか１つに記載の絶縁ボルト構造において、
上記スリーブ部材は、ポリビニリデンフルオライド樹脂によって構成されている、絶縁ボルト構造。
【請求項５】
請求項１〜４のうちいずれか１つに記載の絶縁ボルト構造において、
上記ボルト本体の軸部を貫通して、頭部と上記絶縁性リング部材との間に介在する座金部材をさらに備えている、絶縁ボルト構造。
【請求項６】
請求項１〜５のうちいずれか１つに記載の絶縁ボルト構造において、
上記ボルト本体の軸部の先端側に取りつけられたもう１つの絶縁性リング部材と、
上記もう１つの絶縁性リング部材よりも先端側に取りつけられ、上記ボルト本体の雄ねじ部に係合するナット部材と、
をさらに備えている絶縁ボルト構造。
【請求項７】
請求項６記載の絶縁ボルト構造において、
上記ナット部材と上記絶縁性リング部材との間に介在するもう１つの座金部材をさらに備えている、絶縁ボルト構造。
【請求項８】
請求項１〜７のうちいずれか１つに記載の絶縁ボルト構造と、
２つの被連結部材として、ガスケットを挟んで相対向する２つのフランジ付き配管とを備え、
上記２つのフランジ付き配管の各フランジ同士が、上記絶縁ボルト構造を用いて連結されている、配管連結構造。